(57)【特許請求の範囲】
【請求項１】
筐体と、該筐体に収納される熱交換器と、を備えた室外機であって、
前記筐体は、底面に底面パネルを有し、
前記底面パネルは、
前記熱交換器の下方に形成された第１底板部と、
前記第１底板部に隣接して形成された第２底板部と、により構成され、
前記第１底板部と前記第２底板部とは、前記第１底板部及び前記第２底板部に対して傾斜するテーパー面部により接続されており、
前記熱交換器の下端は、前記第１底板部の上面のいずれの位置より上方に配置され、かつ、前記第２底板部の上面のいずれの位置より下方に配置され、
前記底面パネルの周囲には、上方に立設されたフランジ部が形成され、
前記フランジ部のうち、前記熱交換器と対向する第１フランジ部の高さは、該第１フランジ部以外の第２フランジ部の高さより低く形成されていることを特徴とする室外機。
【請求項２】
前記底面パネルの下面には、前記筐体を支持する脚部が取り付けられ、
前記脚部は、前記第１底板部の下面に当接する第１上面部と、前記第２底板部の下面に当接する第２上面部とを有し、
前記第１上面部は、前記第２上面部よりも下方に形成されることを特徴とする請求項１に記載の室外機。
【請求項３】
前記第１底板部は、上面視において前記熱交換器の周囲形状に沿った形状となることを特徴とする請求項１または２に記載の室外機。
【請求項４】
前記第１底板部には、前記底面パネル上のドレン水を排出するドレン孔が開口することを特徴とする請求項１〜３のいずれか１項に記載の室外機。
【請求項５】
前記第１底板部には、前記ドレン孔に向けて下降する勾配が形成されていることを特徴とする請求項４に記載の室外機。
【請求項６】
前記第１底板部には、前記熱交換器を載置する載置台が形成されていることを特徴とする請求項１〜５のいずれか１項に記載の室外機。
【請求項７】
前記熱交換器は、上面視においてＬ字形状であり、前記第１底板部は上面視において前記熱交換器の周囲形状に沿ったＬ字形状となることを特徴とする請求項１〜６のいずれか１項に記載の室外機。
【発明の詳細な説明】
【技術分野】
【０００１】
本発明は、空気調和装置の室外機に関するものである。
【背景技術】
【０００２】
従来、空気調和装置の室外機において、筐体内部に熱交換器と送風機とを収納し、熱交換器に外気を供給して、冷凍サイクルの冷媒との熱交換を行っている。この熱交換器を筐体内に収納する際には、筐体の底板上に熱交換器の載置台を複数箇所で上方に突出させて形成し、熱交換器の下面をこの載置台上に載置している（例えば、特許文献１参照）。
【先行技術文献】
【特許文献】
【０００３】
【特許文献１】特開２０１４−９８５１２号公報
【発明の概要】
【発明が解決しようとする課題】
【０００４】
このような従来の室外機では、筐体の底板上に熱交換器の載置台を上方に突出させて形成しているため、熱交換器の上端が高い位置となることで筐体自体の高さが高くなり筐体が大型化する問題があった。また、筐体の高さを抑えると熱交換器の高さが低くなり、伝熱面積が減少して熱交換効率が悪くなる問題があった。【０００５】
さらに、底板上に溜まったドレン水（雨水や除霜水）を排出するドレン孔が、周囲の底板部分と大きなレベル差がなく形成されているため、大量のドレン水が発生すると底板上の全体にドレン水があふれ、圧縮機等が収納されている機械室内にドレン水が流入したり、底板上でドレン水の凍結が発生するという問題もあった。【０００６】
本発明は、上記のような課題を背景としてなされたものであり、筐体の高さを抑えて小型化しても熱交換器の伝熱面積を確保して熱交換性能を担保し、さらに、筐体の底板上のドレン水の排出を確実に行うことができる空気調和装置の室外機を得ることを目的とする。
【課題を解決するための手段】
【０００７】
本発明に係る室外機は、筐体と、筐体に収納される熱交換器と、を備えた室外機であって、筐体は、底面に底面パネルを有し、底面パネルは、熱交換器の下方に形成された第１底板部と、第１底板部に隣接して形成された第２底板部と、により構成され、第１底板部と第２底板部とは、第１底板部及び第２底板部に対して傾斜するテーパー面部により接続されており、熱交換器の下端は、第１底板部の上面のいずれの位置より上方に配置され、かつ、第２底板部の上面のいずれの位置より下方に配置され、底面パネルの周囲には、上方に立設されたフランジ部が形成され、フランジ部のうち、熱交換器と対向する第１フランジ部の高さは、第１フランジ部以外の第２フランジ部の高さより低く形成されているものである。
【発明の効果】
【０００８】
本発明に係る室外機では、熱交換器の下端が、第１底板部の上面のいずれの位置より上方に配置され、かつ、第２底板部の上面のいずれの位置より下方に配置されるため、筐体の高さを抑えても熱交換器の伝熱面積を確保して熱交換性能を担保し、さらに、筐体の底板上のドレン水の排出を確実に行うことが可能になる。
【図面の簡単な説明】
【０００９】
【図１】実施の形態１に係る室外機の斜視図である。
【図２】実施の形態１に係る室外機の分解斜視図である。
【図３】実施の形態１に係る室外機の正面図である。
【図４】実施の形態１に係る室外機の側面図である。
【図５】実施の形態１に係る室外機の底面パネルの斜視図である。
【図６】実施の形態１に係る室外機の底面パネルの平面図である。
【図７】実施の形態１に係る室外機の底面パネルにおける長辺方向の側面図である。
【図８】実施の形態１に係る室外機の底面パネルにおける短辺方向の側面図である。
【図９】実施の形態１に係る室外機の底面パネルにおける図６のＹ−Ｙ断面図である。
【図１０】実施の形態１に係る室外機の底面パネルにおける図６のＺ−Ｚ断面図である。
【図１１】実施の形態１に係る室外機の脚部の斜視図である。
【図１２】実施の形態１に係る室外機の脚部の平面図である。
【図１３】実施の形態１に係る室外機の脚部における長尺側の側面図である。
【図１４】実施の形態１に係る室外機の脚部における短尺側の側面図である。
【図１５】実施の形態１に係る室外機の脚部における図１２のＸ−Ｘ断面図である。
【図１６】実施の形態１に係る室外機の脚部における図１２のＷ−Ｗ断面図である。
【図１７】実施の形態１に係る室外機の底面パネルに室外熱交換器を設置した際の分解斜視図である。
【図１８】実施の形態１に係る室外機の底面パネルに室外熱交換器を設置した際の分解斜視図である。
【図１９】実施の形態１に係る室外機の底面パネルに室外熱交換器を設置した際の長辺方向から見た側面図である。
【図２０】実施の形態１に係る室外機の底面パネルに室外熱交換器を設置した際の短辺方向から見た側面図である。
【発明を実施するための形態】
【００１０】
以下、本発明に係る空気調和装置の室外機について、図面を用いて説明する。
以下で説明する室外機の構成は一例に過ぎず、本発明に係る室外機は、そのような構成に限定されない。また、各図において、同一又は類似するものには、同一の符号を付すか、又は、符号を付すことを省略している。また、細かい構造については、適宜図示を簡略化又は省略している。また、重複又は類似する説明については、適宜簡略化又は省略している。
【００１１】
実施の形態１．
実施の形態１に係る室外機について説明する。
＜室外機の構成＞
図１は、実施の形態１に係る室外機の斜視図である。
図２は、実施の形態１に係る室外機の分解斜視図である。
図３は、実施の形態１に係る室外機の正面図である。
図４は、実施の形態１に係る室外機の側面図である。
【００１２】
室外機の筐体１は、図１に示すように板金製で略直方体形状となっている。筐体１は、図２に示すように、筐体１の前面側に配置されたＬ字形状の前面パネル１ａと、筐体１の側面を覆う側面パネル１ｂと、上面を覆う天面パネル１ｃと、底面に配置された底面パネル１ｄと、により大きく構成されている。また、前面パネル１ａには開口を有する前面グリル１ｅが取り付けられると共に、側面パネル１ｂには端子台等の電装部品を覆う側面カバー１ｆが取り付けられている。
また、筐体１の底面パネル１ｄの下面には、室外機を支持する脚部１０が２つ配置される。
【００１３】
筐体１の内部には、冷媒を圧縮するための圧縮機２、外気と冷媒とを熱交換する室外熱交換器３、外気を室外熱交換器３に供給する送風機４、送風機４を支持し送風機用のモーターが取り付けられる支持台５、室外機内の各アクチュエータを制御する電装箱６等が格納されている。
また、送風機４が配置される送風機室４ａと、圧縮機２が配置される機械室２ａとは、分離板７により隔離されている。
【００１４】
室外熱交換器３は、例えば複数並設されるアルミ製の薄い板状のフィンを伝熱管が貫通するフィンチューブ熱交換器であり、全体を略Ｌ字形状に構成して筐体１を構成する２つの側面に沿って配置される。フィンは垂直方向に立設され伝熱管は水平方向にフィンを貫通した構成となっている。
送風機４は、室外熱交換器３の近くに設けられ、送風機４の回転によって外気が室外熱交換器３のフィン間を通過し、その際に室外熱交換器３の伝熱管内を流れる冷媒と外気とが熱交換される。熱交換後の外気は前面グリル１ｅから筐体１の外に排気される。
【００１５】
このような空気調和装置の室外機が運転されると、例えば暖房運転の場合には、室外熱交換器３が蒸発器として機能し、外気から熱をもらって蒸発した低圧のガス冷媒が、圧縮機２により圧縮され高圧のガス冷媒となり室内機の室内熱交換器（図示しない）に供給される。
一方、冷房運転の場合には、室外熱交換器３が凝縮器として機能し、圧縮機２で圧縮された高圧のガス冷媒が室外熱交換器３で外気に放熱して凝縮し、凝縮した液冷媒が減圧されて室内機の室内熱交換器（図示しない）に供給される。
【００１６】
＜底面パネルの構成＞
図５は、実施の形態１に係る室外機の底面パネルの斜視図である。
図６は、実施の形態１に係る室外機の底面パネルの平面図である。
図７は、実施の形態１に係る室外機の底面パネルにおける長辺方向の側面図である。
図８は、実施の形態１に係る室外機の底面パネルにおける短辺方向の側面図である。
図９は、実施の形態１に係る室外機の底面パネルにおける図６のＹ−Ｙ断面図である。
図１０は、実施の形態１に係る室外機の底面パネルにおける図６のＺ−Ｚ断面図である。
【００１７】
底面パネル１ｄは、室外熱交換器３の下方に形成された第１底板部２０ａと、第１底板部２０ａよりも上下方向で高く形成された第２底板部２０ｂと、により大きく構成されている。
第２底板部２０ｂには、室外機の各機器（圧縮機２、室外熱交換器３、送風機４の支持台５等）の取り付け部が例えばプレス加工によって凹凸に形成される（図示省略）。
第１底板部２０ａは、図６に示すように上面視で略Ｌ字形状に構成される室外熱交換器３の下部に形成され、室外熱交換器３の周囲形状に沿った略Ｌ字形状となっている。
【００１８】
第１底板部２０ａにおいて長辺方向の略中央には、図６に示すように底面パネル１ｄ上のドレン水を排出する円形のドレン孔２０ｄが開口している。第１底板部２０ａは、このドレン孔２０ｄに向かって図９の断面図に示すように両端部から下り勾配となる傾斜面（図９の矢印方向に下り勾配となる）が形成されている。
さらに、第２底板部２０ｂにも図１０の断面図に示すようにドレン孔２０ｄに向かって下り勾配となる傾斜面（図１０の矢印方向に下り勾配となる）が形成されている。
【００１９】
室外熱交換器３に生じたドレン水や筐体１の前面グリル１ｅや室外熱交換器３の周囲の外気吸込口から筐体１内に入り込んだ雨水は、第２底板部２０ｂ上を勾配に沿って第１底板部２０ａに流入し、さらに第１底板部２０ａ上の勾配に沿って流下し、ドレン孔２０ｄから筐体１の外部へ排水される。
ドレン孔２０ｄは、上下方向で底面パネル１ｄの最も低い位置に設けられている。ドレン孔２０ｄには、底面パネル１ｄの下側でホースなどが接続され、ドレン水はそのホースによって室外機の外部に導かれ、例えば建物の周りの下水溝に排出される。
【００２０】
また、第１底板部２０ａ上の３箇所には、室外熱交換器３を載置する載置台２０ｅが形成されている。載置台２０ｅは、室外熱交換器３の下端３ａのフィンが当接する平滑な当接面を上面に有している。載置台２０ｅの上面の上下方向における高さは、第１底板部２０ａの上面のいずれの位置より上方に配置され、かつ、第２底板部２０ｂの上面のいずれの位置より下方に配置されている。
【００２１】
よって、室外熱交換器３のフィンの下端３ａは、第１底板部２０ａの上面のいずれの位置より上方に配置され、かつ、第２底板部２０ｂの上面のいずれの位置より下方に配置される。
すなわち、底面パネル１ｄにおける室外熱交換器３の下部（第１底板部２０ａ）は、底面パネル１ｄのうち他の部分（第２底板部２０ｂ）よりも上下方向で一段低く形成されている。
【００２２】
また、第１底板部２０ａと第２底板部２０ｂとは、第１底板部２０ａ及び第２底板部２０ｂに対して傾斜するテーパー面部２０ｃにより接続されている。
このようなテーパー面部２０ｃを形成することにより、外気が室外熱交換器３の下端３ａのフィン間を通って第２底板部２０ｂ側にテーパー面部２０ｃの上面を通ってスムーズに流れ送風機４に吸引される。
【００２３】
さらに、底面パネル１ｄの周縁には、底面パネル１ｄから上方略９０度に立設されたフランジ部２１が形成されている。
図５等に示すように、フランジ部２１のうち、室外熱交換器３と対向する部分の第１フランジ部２１ａの上下方向での高さは、第１フランジ部２１ａ以外の第２フランジ部２１ｂの高さより低く形成されている。
【００２４】
このように室外熱交換器３と対向する部分の第１フランジ部２１ａの高さを低く形成することで、外気が室外熱交換器３の下端３ａのフィンにスムーズに供給される。
つまり、テーパー面部２０ｃと第１フランジ部２１ａとに挟まれた室外熱交換器３の下端３ａのフィンには、これら２つの構成によって外気が流通し熱交換効率を向上させることが可能になる。
【００２５】
＜脚部＞
図１１は、実施の形態１に係る室外機の脚部の斜視図である。
図１２は、実施の形態１に係る室外機の脚部の平面図である。
図１３は、実施の形態１に係る室外機の脚部における長尺側の側面図である。
図１４は、実施の形態１に係る室外機の脚部における短尺側の側面図である。
図１５は、実施の形態１に係る室外機の脚部における図１２のＸ−Ｘ断面図である。
図１６は、実施の形態１に係る室外機の脚部における図１２のＷ−Ｗ断面図である。
【００２６】
筐体１の底面パネル１ｄの下面には、筐体１を支持する脚部１０が２脚取り付けられる。脚部１０は、図１１〜図１６に示すように長尺形状に形成されている。そして、筐体１の底面パネル１ｄにおける第１底板部２０ａの下面に当接する第１上面部１０ａと、第２底板部２０ｂの下面に当接する第２上面部１０ｂとを有している。
【００２７】
脚部１０の第１上面部１０ａは、第２上面部１０ｂよりも上下方向で下方に一段低く形成されている。第２上面部１０ｂは、図１３に示すように第１底板部２０ａの下面に沿って第１上面部１０ａ側が下がるように傾斜している。
そして、脚部１０は、底面パネル１ｄの長尺方向に２脚が平行となるように配置される。
【００２８】
また、第２上面部１０ｂを挟んで第１上面部１０ａの反対側には第３上面部１０ｃが形成され、第１上面部１０ａの先端と、第３上面部１０ｃの先端には、脚部１０をコンクリート等に固定するためボルト等を挿通する切欠部１０ｄが形成されている。
【００２９】
このように脚部１０の第１上面部１０ａは、第２上面部１０ｂよりも上下方向で下方に一段低く形成されることで、第１上面部１０ａが底面パネル１ｄの第１底板部２０ａの下面と当接し、第２上面部１０ｂが第２底板部２０ｂの下面に当接して筐体１を安定的に支持する。
【００３０】
＜筐体の底面パネルへの室外熱交換器の設置＞
図１７は、実施の形態１に係る室外機の底面パネルに室外熱交換器を設置した際の分解斜視図である。
図１８は、実施の形態１に係る室外機の底面パネルに室外熱交換器を設置した際の分解斜視図である。
図１９は、実施の形態１に係る室外機の底面パネルに室外熱交換器を設置した際の長辺方向から見た側面図である。
図２０は、実施の形態１に係る室外機の底面パネルに室外熱交換器を設置した際の短辺方向から見た側面図である。
【００３１】
実施の形態１に係る室外機の室外熱交換器３は、図１７〜図２０に示すように室外熱交換器３のフィンの下端３ａが、筐体１の底面パネル１ｄの第１底板部２０ａ内に収納された状態で取り付けられる。
このとき、上記のように、第１底板部２０ａ上の載置台２０ｅ上に室外熱交換器３のフィンの下端３ａが当接する。
すると、室外熱交換器３のフィンの下端３ａは、第１底板部２０ａの上面のいずれの位置より上方に配置され、かつ、第２底板部２０ｂの上面のいずれの位置より下方に配置される。
【００３２】
＜効果＞
実施の形態１に係る空気調和装置の室外機では、底面パネル１ｄ上に溜まったドレン水（雨水や除霜水）を排出するドレン孔２０ｄが、周囲の底面パネル１ｄ（第２底板部２０ｂ）と大きなレベル差を付けて低く形成された第１底板部２０ａに開口している。
よって、大量のドレン水が発生しても第１底板部２０ａにドレン水が流入して貯留されることで、底板上の全体にドレン水があふれ、圧縮機等が収納されている機械室内にドレン水が流入したり、底板上でドレン水の凍結が発生することがない。
【００３３】
また、底面パネル１ｄに一段低く形成された第１底板部２０ａを形成し、脚部１０の形状もこの第１底板部２０ａに対応させて一段低く形成した第１上面部１０ａを設けたため、室外熱交換器３の下端３ａをこの第１底板部２０ａ上に収納することができ、従来よりも室外熱交換器３の上端の高さを低く抑えることができる。
よって、筐体１の高さ寸法を小さくしてコンパクトな室外機を提供することができる。
そして、筐体１の高さを従来と同じ寸法とした場合には室外熱交換器３の高さ寸法を大きく設定することができ、熱交換性能の大きい室外機を製造することが可能となる。
【符号の説明】
【００３４】
１  筐体、１ａ  前面パネル、１ｂ  側面パネル、１ｃ  天面パネル、１ｄ  底面パネル、１ｅ  前面グリル、１ｆ  側面カバー、２  圧縮機、２ａ  機械室、３  室外熱交換器、３ａ  下端、４  送風機、４ａ  送風機室、５  支持台、６  電装箱、７  分離板、１０  脚部、１０ａ  第１上面部、１０ｂ  第２上面部、１０ｃ  第３上面部、１０ｄ  切欠部、２０ａ  第１底板部、２０ｂ  第２底板部、２０ｃ  テーパー面部、２０ｄ  ドレン孔、２０ｅ  載置台、２１  フランジ部、２１ａ  第１フランジ部、２１ｂ  第２フランジ部。
【図１】
0006541691.tif 000002
【図２】
0006541691.tif 000003
【図３】
0006541691.tif 000004
【図４】
0006541691.tif 000005
【図５】
0006541691.tif 000006
【図６】
0006541691.tif 000007
【図７】
0006541691.tif 000008
【図８】
0006541691.tif 000009
【図９】
0006541691.tif 000010
【図１０】
0006541691.tif 000011
【図１１】
0006541691.tif 000012
【図１２】
0006541691.tif 000013
【図１３】
0006541691.tif 000014
【図１４】
0006541691.tif 000015
【図１５】
0006541691.tif 000016
【図１６】
0006541691.tif 000017
【図１７】
0006541691.tif 000018
【図１８】
0006541691.tif 000019
【図１９】
0006541691.tif 000020
【図２０】
0006541691.tif 000021